【手続補正書】
【提出日】平成20年1月18日(2008.1.18)
【手続補正１】
【補正対象書類名】明細書
【補正対象項目名】特許請求の範囲
【補正方法】変更
【補正の内容】
【特許請求の範囲】
【請求項１】  静磁場Ｂｏと静磁場内に勾配を誘導する勾配磁場コイルとを有しているＭＲＩシステムにおいて勾配スイッチング中に誘導される渦電流の評価方法であって、
（ａ）ＭＲ活性被検体をＭＲＩシステムのイメージングボリュームの中心に置き、その被検体を、渦電流測定のため所定の方向に沿って整合するステップと；
（ｂ）磁場Ｂｏ内にスイッチング勾配を作り出すため、第１の勾配パルスを勾配磁場コイルに加え、そして、磁場Ｂｏの中心から離れた前記測定方向に沿って、対称に離れて置かれた２つのＭＲＩスライスに対応する第１の対のスピン−エコーＮＭＲから信号データ試料を得るステップと；
（ｃ）第１の勾配パルスと反対の極性を有している第２の勾配パルスを、勾配磁場コイルに加え、そして、ステップ（ｂ）のスライスに対応する第２の対のスピン−エコーＮＭＲ信号から信号データ試料を得るステップと；
（ｄ）第１及び第２の対のスピン−エコーＮＭＲ信号の各スピン−エコー信号のために得られた信号データ試料から歳差運動周波数を決定するステップと；
（ｅ）ステップ（ｄ）で決定した歳差運動周波数から、渦電流により作り出された磁場勾配及び／又は磁場振動を定量するステップと；を含む方法。
【請求項２】  スピン−エコー信号の歳差運動周波数に対する定量値が下記の関係により得られたＮＭＲ信号データ試料から決定され、
【数１】
2001258865.tif 000001
ここに、ｎ＝１，２，３，４のときのｆｎ（ｉ）が、前記第１及び第２の対のスピン−エコー信号に対応する４つのＮＭＲ信号の歳差運動周波数を表わし；ｉ＝０，１，２，・・・  Ｎ−２のときのｉが、スピン−エコーＮＭＲ信号から得た所定数のデータ試料であるＮを有する特定のデータ試料を表わし；Ｓun及びＳvnが、得られた複素数ＮＭＲ信号データの実部及び虚部であり；Ｕ（ｉ）及びＶ（ｉ）（ｕ（ｉ）ドット及びｖ（ｉ）ドットを意味する）が、それぞれｕ（ｉ）及びｖ（ｉ）の対応する時間導関数であり；△ｔが、得られたＮＭＲのサンプリング率であり；そして、時間変化磁場勾配及び時間変化Ｂｏ振動に対する定量値が、下記の関係式によって決定され、
【数２】
2001258865.tif 000002
ここに、ｆｎ（ｔ）が、スピン−エコー信号の時間変化歳差運動周波数を表わし；△Ｇ（ｔ）及び△Ｂ（ｔ）が、それぞれ渦電流によって作り出された時間変化磁場勾配及び時間変化Ｂｏ振動であり、そしてγが適切な核種の磁気回転比値である請求項１に記載の方法。
【請求項３】  スライス選択のため使用された加えた磁場勾配はまた、渦電流が評価される渦電流誘導勾配パルスとして役立ち、そして前記スライス選択スピン−エコーＮＭＲ信号が、前記磁場勾配の付加中に、他の選択１８０°パルスに続く選択９０°ＲＦパルスを加えることによって発生される請求項１に記載の方法。
【請求項４】  前記スピン−エコーＮＭＲ信号が、前記勾配パルスのスイッチング直後に得られ、且つＥＣ−誘導磁場勾配及びＢｏ振動の定量が望まれる所定の時間周期中に得られる、短い時定数の渦電流を評価するための請求項３に記載の方法。
【請求項５】  前記スピン−エコー信号の取得が、前記勾配パルスが異なる目標（ターゲット）値にスイッチされる前にスタートされ、且つ、勾配スイッチングの全遷移期間をカバーし続け、そして前記スピン−エコー信号が、勾配スイッチングの時間経過を特徴づけるのに使用される、勾配スイッチング時間経過を特徴づけるための請求項３に記載の方法。
【請求項６】  前記勾配パルスの終結後、発生されるＮＭＲ信号を作り出すＭＲＩパルスシーケンスが使用され、そしてＮＭＲ信号データ試料が、渦電流の定量が望まれる所定の時間周期に繰返し得られる、長い時定数の渦電流を評価するための請求項１に記載の方法。
【請求項７】  前記ＭＲＩシーケンスが、スライス選択フィールドエコーシーケンスである請求項６に記載の方法。
【請求項８】  前記ＭＲＩシーケンスが、スライス選択スピン−エコーシーケンスである請求項６に記載の方法。
【請求項９】  前記ＭＲＩシーケンスが、スライス選択スティミュレーテッドエコーシーケンスである請求項６に記載の方法。
【請求項１０】  ＭＲＩシステムに関連した、プレエンファシスネットワークの調整に応答するＭＲＩシステムが、評価され、更に、
（ｉ）ＥＣ誘導勾配パルスをスイッチオフした後、それぞれ時間変化ＥＣ誘導磁場勾配及びＢｏ振動、△Ｇ（ｔ）及び△Ｂ（ｔ）を作り出すステップと；
（ｉｉ）プレエンファシスネットワークのセッティングを変えるステップと；  （ｉｉｉ）所定の回数ステップ（ｉ）及び（ｉｉ）と繰返すステップと；
プレエンファシスのセッティング変更に応答してＭＲＩシステムを評価するためステップ（ｉ）で発生されたＥＣ勾配Ｂｏ振動の時間経過グラフを比較するステップとを含む、請求項１に記載の方法。
【請求項１１】  ＭＲ活性被検体が、ＭＲＩシステムのイメージングボリュームの中心に位置づけされ、そして測定方向に沿って整合され、ＭＲＩシステムが、静磁場内に勾配を誘導するため、静磁場Ｂｏ及び勾配磁場コイルを有している、磁気勾配スイッチング中に誘導される渦電流を評価するためのＭＲＩシステムであって、
第１の勾配パルスを勾配磁場コイルに加え、そして磁場Ｂｏの中心から離れた前記測定方向に沿って対称的に離して置かれた２つのスライスに対応する第１の対のスピン−エコー信号試料を得るための手段と；
第１の勾配パルスと反対の極性を有している第２の勾配パルスを勾配磁場コイルに加え、そして前記２つのスライスに対応する第２の対のスピン−エコー信号試料を得るための手段と；
得られたスピン−エコー信号の歳差運動周波数により、渦電流による磁場勾配及び／又は磁場振動を定量的に決定するための手段と、を含むＭＲＩシステム。
【請求項１２】  スピン−エコー信号の歳差運動のための定量値が、下記の関係により得られたＮＭＲ信号データ試料から決定され、
【数３】
2001258865.tif 000003
ここに、ｎ＝１，２，３，４のときのｆｎ（ｉ）が、前記第１及び第２の対のスピン−エコー信号に対応する４つのＮＭＲ信号の歳差運動周波数を表わし；ｉ＝０，１，２，・・・  Ｎ−２のときのｉが、スピン−エコーＮＭＲ信号から得た所定数のデータ試料であるＮを有する特定のデータ試料を表わし；Ｓun及びＳvnが、得られた複素数ＮＭＲ信号データの実部及び虚部であり；Ｕ（ｉ）及びＶ（ｉ）（ｕ（ｉ）ドット及びｖ（ｉ）ドットを意味する）が、それぞれｕ（ｉ）及びｖ（ｉ）の対応する時間導関数であり；△ｔが、得られたＮＭＲのサンプリング率であり；そして、時間変化磁場勾配及び時間変化Ｂｏ振動に対する定量値が、下記の関係式によって決定され、
【数４】
2001258865.tif 000004
ここに、ｆｎ（ｔ）が、スピン−エコー信号の時間変化歳差運動周波数を表わし；△Ｇ（ｔ）及び△Ｂ（ｔ）が、それぞれ渦電流によって作り出された時間変化磁場勾配及び時間変化Ｂｏ振動であり、そしてγが適切な核種の磁気回転比値である請求項１１に記載のＭＲＩシステム。
【請求項１３】  バックグランド静磁場Ｂｏ及び静磁場内にスイッチされた勾配を誘導するため、勾配磁場コイルを有しているＭＲＩシステムにおいて、ＭＲＩシーケンス中に作り出された渦電流（ＥＣ）効果およびＢｏ振動を補償する方法であって、
（ａ）ＭＲＩシステム内にスイッチされた勾配によって誘導されるＥＣ勾配及びＢｏ振動のための定量値を決定するステップであって、ＥＣ勾配及びＢｏ振動のための定量値が、下記の２つの関係により決定されるステップと；
【数５】
2001258865.tif 000005
ここに、ｆｎ（ｔ）が、スピン−エコー信号の時間変化歳差運動周波数を表わし；△Ｇ（ｔ）及び△Ｂ（ｔ）が、それぞれ渦電流によって作り出されたＥＣ勾配及びＢｏ振動であり；γが適切な核種の磁気回転比値であり、そしてスピン−エコー信号の歳差運動周波数のための定量値が、下記の関係により得られたＮＭＲ信号データ試料から決定され：
【数６】
2001258865.tif 000006
ここに、ｎ＝１，２，３，４のときのｆｎ（ｉ）が、前記第１及び第２の対のスピン−エコー信号に対応する４つのＮＭＲ信号の歳差運動周波数を表わし；ｉ＝０，１，２，・・・  Ｎ−２のときのｉが、スピン−エコーＮＭＲ信号から得た所定数のデータ試料であるＮを有する特定のデータ試料を表わし；Ｓun及びＳvnが、得られた複素数ＮＭＲ信号データの実部及び虚部であり；Ｕ（ｉ）及びＶ（ｉ）（ｕ（ｉ）ドット及びｖ（ｉ）ドットを意味する）が、それぞれｕ（ｉ）及びｖ（ｉ）の対応する時間導関数であり；△ｔが、得られたＮＭＲのサンプリング率であり、
（ｂ）シーケンス中に作り出された結果としての勾配磁場が、渦電流を誘導したいかなる勾配スイッチングの結果に対しても適切に補償されるように、ステップ（ａ）で決定されたＥＣ勾配のための定量値に基づいた所定のＭＲＩシーケンスの勾配パルス波形を予め歪ませるステップと；
（ｃ）安定なＢｏ磁場を生ずるため、ステップ（ａ）で決定されたＢｏ振動のための定量値に基づいて逆‐振動Ｂｏ磁場を作り出すステップとを含む、ＭＲＩシーケンス中に作り出された渦電流（ＥＣ）効果及びＢｏ振動を補償する方法。
【請求項１４】  バックグランド静磁場Ｂｏ及び静磁場内にスイッチした勾配を誘導するため、勾配磁場コイルを有しているＭＲＩシステムにおいて、バックグランド静磁場勾配を定量するための方法であって、
（ａ）ＭＲ活性被検体をＭＲＩシステムのイメージングボリュームの中心に置き、そして測定方向にそってその被検体を整合するステップと；
（ｂ）第１の勾配パルスを勾配磁場コイルに加え、そして磁場Ｂｏの中心から離れて前記測定方向に沿って、対称に離して置かれた２つのスライスに対応する第１の対のスピン−エコーＮＭＲ信号から信号データ試料を得るステップと；
（ｃ）第１の勾配パルスと反対の極性を有している第２の勾配パルスを勾配磁場コイルに加え、そしてステップ（ｂ）のスライスに対応する第２の対のスピン−エコーＮＭＲ信号から信号データ試料を得るステップと；
（ｄ）前記第１及び第２の対のスピン−エコーＮＭＲ信号の各スピン−エコー信号の得られた信号データ試料から、４つの歳差運動周波数ｆ１−ｆ４を決定するステップと；
（ｅ）下記の関係により、ステップ（ｄ）で決定された歳差運動周波数から、バックグランド勾配Ｇｚ−（Ｇｚバーを意味する）を定量するステップと
【数７】
2001258865.tif 000007
を含む方法。
【請求項１５】  スピン−エコー信号の歳差運動周波数に対する定量値が、下記の関係により得られたＮＭＲ信号データ試料から決定される請求項１４に記載の方法：
【数８】
2001258865.tif 000008
ここに、ｎ＝１，２，３，４のときのｆｎ（ｉ）が、前記第１及び第２の対のスピン−エコー信号に対応する４つのＮＭＲ信号の歳差運動周波数を表わし；ｉ＝０，１，２，・・・  Ｎ−２のときのｉが、スピン−エコーＮＭＲ信号から得た所定数のデータ試料であるＮを有する特定のデータ試料を表わし；Ｓun及びＳvnが、得られた複素数ＮＭＲ信号データの実部及び虚部であり；Ｕ（ｉ）及びＶ（ｉ）（ｕ（ｉ）ドット及びｖ（ｉ）ドットを意味する）が、それぞれｕ（ｉ）及びｖ（ｉ）の対応する時間導関数であり；△ｔが、得られたＮＭＲのサンプリング率である。
【請求項１６】  ＥＣ測定又はＭＲＩシーケンス中に生ずる大きなバックグランド静磁場勾配を評価し、そして補償するための方法であって、
（ａ）Ｂｏ磁場の不均一性によりＥＣ測定域内にあるバックブランド磁場勾配、及びＭＲＩ装置内の他の静磁場勾配の定量値をも決定するステップと；
（ｂ）バックグランド磁場勾配及び他の静磁場勾配に対応する方向に沿って同じマグニチュードの小さい反対の磁場勾配を加えるステップとを含む方法。
【請求項１７】  非対称ＭＲＩパルスシーケンスがＮＭＲ信号を得るために使用され、そしてバックグランド静磁場勾配に対する定量値が、下記の２つの関係式によって決定され、
【数９】
2001258865.tif 000009
ここに、ρ（Ｚ）が、選択したラインのスピン分布であり；Ｇｚ−（Ｇｚバーを意味する）が、測定又は読み出し方向（この場合には“Ｚ”軸線と呼ばれる）に沿った静バックグランド磁場勾配であり；φ０（Ｚ）は、読み出し勾配の整調誤りによる誤差からの位相コントリビューションであり、そして、信号位相が下記の２つの関係式により読み出し方向に沿った空間位置の関数であり；
【数１０】
2001258865.tif 000010
そしてバックグランド磁場勾配が、下記の関係により信号位相から決定され；
【数１１】
2001258865.tif 000011
ここに、Ф＋およびФ−（φ＋ドットおよびφ−ドットを意味する）は、選択した読み出し方向に沿った信号位相の空間的導関数であり；そして△Ｔは、スピン−エコー位置からのＡＳＥ信号の時間シフト量である、請求項１６に記載の方法。